(57)【要約】      （修正有）【課題】本体と表示器とを分離した体重体組成計を提供する。【解決手段】本体１０と表示器２０とに分離されている。本体は、使用者が乗り降り可能な計量台と、この計量台にかかる使用者の体重を測定して電気信号Ｓ１に変換する体重測定部１２と、この電気信号Ｓ１を無線信号として送信する送信機１４とを含む。表示器２０は、本体１０から送信される電気信号Ｓ１を受信する受信機２１と、受信した電気信号Ｓ１を体重測定結果として表示する表示装置２５と、体重測定結果が確定した時に使用者が計量台から降りるタイミングを知らせる報知情報を表示装置２５に表示するように制御を行う制御部２７とを含む。【選択図】図３
0003225523.tif 000002
【実用新案登録請求の範囲】
【請求項１】
使用者が乗り降り可能な計量台と、この計量台にかかる使用者の体重を測定して電気信号に変換する体重測定部と、この電気信号を無線信号として送信する送信機と、を含む本体と、
前記本体とは分離して設けられ、前記本体から送信される前記電気信号を受信する受信機と、受信した前記電気信号を体重測定結果として表示する表示する表示装置と、前記体重測定結果が確定した時に使用者が前記計量台から降りるタイミングを知らせる報知情報を前記表示装置に表示するように制御を行う制御部と、を含む表示器と、を備えることを特徴とする体重体組成計。
【請求項２】
前記表示器は時計部を備え、前記制御部は前記表示装置が前記体重測定結果を表示した後に、前記表示装置の表示を前記時計部による時計表示に切り換えることを特徴とする請求項１に記載の体重体組成計。
【請求項３】
使用者が乗り降り可能な計量台と、この計量台にかかる使用者の体重を測定して第１の電気信号に変換する体重測定部と、使用者のインピーダンスを測定して第２の電気信号に変換するインピーダンス測定部と、第１及び第２の電気信号をそれぞれ無線信号として送信する送信機と、を含む本体と、
前記本体とは分離して設けられ、前記本体から送信される前記第１及び第２の電気信号を受信する受信機と、使用者の性別、身長、及び年齢を含む個人登録情報を記憶するメモリ部と、前記第１の電気信号、前記第２の電気信号、及び前記メモリ部に記憶された前記個人登録情報に基づいて使用者の体脂肪率を含む体組成を算出する演算部と、受信した前記第１の電気信号を体重測定結果として表示し、前記演算部の演算結果を体組成測定結果として表示する表示装置と、前記体重測定結果が確定した時に使用者が前記計量台から降りるタイミングを知らせる報知情報を前記表示装置に表示するように制御を行う制御部と、を含む表示器と、を備えることを特徴とする体重体組成計。
【請求項４】
前記表示器は時計部を備え、前記制御部は前記表示装置が前記体重測定結果及び前記体組成測定結果を表示した後に、前記表示装置の表示を前記時計部による時計表示に切り換えることを特徴とする請求項３に記載の体重体組成計。
【考案の詳細な説明】
【技術分野】
【０００１】
本考案は、体重体組成計に関する。
【背景技術】
【０００２】
今日、電子式の体重計、体重体組成計は広く普及している。特許文献１には、利用者が体重表示を視認し易く、しかも小型軽量な電子体重計を提供することを目的として、電子体重計を、計量台、力センサ、電子回路、重量計測結果の無線による送信手段を含む本体と、該本体から送信される前記電気信号を受信する受信手段および受信した前記電気信号を体重の計測結果として表示する表示装置を含む表示器とに分離したものが記載されている。また、特許文献２には、体重測定部と、体組成を測定するためのインピーダンス測定部を備えた体重体組成計が記載されている。
【先行技術文献】
【特許文献】
【０００３】
【特許文献１】特開２００１−１４７１５２号公報
【特許文献２】特開２０１０−１１９８５号公報
【考案の概要】
【考案が解決しようとする課題】
【０００４】
本考案は、本体と表示器とを分離した体重体組成計において、該表示器に計量台から降りるタイミングを知らせる情報を表示することにより、さらに利用者の利便性を向上させることを目的としている。
【課題を解決するための手段】
【０００５】
上述の課題に鑑み、本考案は、使用者が乗り降り可能な計量台と、この計量台にかかる使用者の体重を測定して電気信号に変換する体重測定部と、この電気信号を無線信号として送信する送信機と、を含む本体と、前記本体とは分離して設けられ、前記本体から送信される前記電気信号を受信する受信機と、受信した前記電気信号を体重測定結果として表示する表示する表示装置と、前記体重測定結果が確定した時に使用者が前記計量台から降りるタイミングを知らせる報知情報を前記表示装置に表示するように制御を行う制御部と、を含む表示器と、を備えることを特徴とする。
【考案の効果】
【０００６】
本考案によれば、本体と表示器とを分離した体重体組成計において、計量台から降りるタイミングを知らせる報知情報を表示器に表示するので、該報知情報は利用者にとって視認し易く、さらに利用者の利便性を向上させることができる。
【０００７】
また、本考案によれば、この体重体組成計において、表示器の表示を時計表示に切り換えることにより、体重体組成計を使用しないときは表示器を時計として利用することができる。
【図面の簡単な説明】
【０００８】
【図１】本考案の実施形態における体重体組成計の表面側の斜視図である。
【図２】本考案の実施形態における表示器の裏面図である。
【図３】本考案の実施形態における体重体組成計の構成図である。
【図４】本考案の実施形態における体重体組成計の動作フロー図である。
【図５】本考案の実施形態における体重体組成計の表示器の表示状態を示す図である。
【考案を実施するための形態】
【０００９】
以下、本考案の実施形態における体重体組成計１００を図１〜５に基づいて説明する。
【００１０】
図１に示すように、体重体組成計１００は、体重測定部、インピーダンス測定部が設けられた本体１０と、この本体１０とは分離して設けられた表示器２０を備える。表示器２０は本体１０から無線送信される体重測定結果やインピーダンス測定結果を受信して後述する各種の表示を行う。
【００１１】
本体１０には、使用者が乗り降り可能な計量台１１が設けられ、この計量台１１の上に、使用者のインピーダンスを測定するための電極Ｌ１，Ｌ２，Ｒ１，Ｒ２が設けられている。電極Ｌ１，Ｒ１は左右の足裏に電流を印加するための電極であり、電極Ｌ２，Ｒ２は左右の足裏からの電圧を検知するための電極である。
【００１２】
表示器２０の表側には、体重、体組成、使用者が計量台１１から降りるタイミングを知らせる報知情報や、時計表示等を表示するための表示装置の表示領域２０Ａが設けられている。また、表示領域２０Ａに隣接して、電源ボタン２０Ｂ、データ入力用のダウンボタン２０Ｃ、アップボタン２０Ｄ及び、決定ボタン２０Ｅが設けられている。また、図２に示すように、表示器２０の裏側には、表示器２０を壁に掛けるための壁掛け用穴２０Ｆ、電池カバー２０Ｇ及び表示器２０を立てるための収納可能なスタンド２０Ｈが設けられている。
【００１３】
次に、体重体組成計１００のブロック構成を図３に基づいて説明する。本体１０は、計量台１１にかかる荷重（使用者の体重）を測定して第１の電気信号Ｓ１に変換する体重測定部１２を備える。体重測定部１２は、例えば、荷重を電気信号に変換する歪ゲージで構成することができる。また、本体１０は、使用者の体組成を測定するための手段として、上記４電極を用いて使用者のインピーダンスを測定して第２の電気信号Ｓ２に変換するインピーダンス測定部１３、第１及び第２の電気信号Ｓ１，Ｓ２をそれぞれ無線信号として送信する送信機１４、及びこれらに電源を供給する電源部１５を備える。
【００１４】
表示器２０は、本体１０から送信される無線信号を受信し、第１及び第２の電気信号Ｓ１，Ｓ２を復元する受信機２１を備える。また、表示器２０は、使用者の性別、身長、及び年齢を含む個人登録情報を記憶するメモリ部２２を備える。メモリ部２２は、例えば、書き込み及び読み出しが可能な不揮発性メモリ等で構成することができる。
【００１５】
また、表示器２０は、第１の電気信号Ｓ１、第２の電気信号Ｓ２、及びメモリ部２２に記憶された個人登録情報に基づいて使用者の体脂肪率、ＢＭＩ（肥満指数）を含む体組成を算出する演算部２３を備える。
【００１６】
この場合、データ入力部２４を介して個人登録情報データＤがメモリ部２２に入力され、記憶される。個人登録情報は個人番号（Ｐ１，Ｐ２，Ｐ３・・・）と関係付けて個人別に記憶される。このデータ入力部２４には、上述のデータ入力用のダウンボタン２０Ｃ、アップボタン２０Ｄ及び、決定ボタン２０Ｅが含まれる。演算部２３の体組成の演算方法については公知のため説明を省略する。
【００１７】
また、表示器２０は、受信した第１の電気信号Ｓ１を体重測定結果として表示し、演算部２３の演算結果を体組成測定結果として表示する表示装置２５を備える。表示装置２５は、液晶パネル、ＬＥＤパネル、ＥＬパネル等で構成することができる。この表示装置２５に付随して、メモリ部２２、演算部２３の演算結果、第１の電気信号Ｓ１及び第２の電気信号Ｓ２等に基づいて表示装置２５を駆動するための駆動回路２６が設けられている。
【００１８】
また、表示器２０は、体重測定結果が確定した時に使用者が計量台１１から降りるタイミングを知らせる報知情報を表示装置２５に表示するように制御を行う制御部２７を備える。この場合、制御部２７は体重測定結果を検知し、それらの数値が所定時間内に所定範囲内に収まると、これらの数値が安定し、確定したと判断する。なお、演算部２３の演算結果である体組成測定結果は、体重測定結果の確定とほぼ同時に確定するとみなすことができる。
【００１９】
また、制御部２７はモード設定部２８（決定ボタン２０Ｅを含む）に入力される設定信号Ｍ及び個人登録情報データＤに応じて、体重体組成計１００を測定モード（体重測定モード又は体組成測定モード）に設定し、表示器２０の各部を制御するように構成されている。
【００２０】
さらに、表示器２０には時計部２９を設けることができる。制御部２７は表示装置２５が体重測定結果、体組成測定結果を表示した後に、表示装置２５の表示を時計部２９による時計表示に切り換えるように制御する。これにより、体重体組成計１００を使用しないときは、表示器２０を時計として利用することができる。さらに、表示器２０の各部に電源を供給する電源部が設けられ、電源ボタン２０Ｂにより電源をオンオフすることが可能になっている。
【００２１】
なお、上記の演算部２３及び制御部２７は、マイクロコンピュータで構成することができ、内蔵メモリに記憶された所定のプログラムに従って制御・演算処理を行う。また、図示を省略するが、表示器２０には温度センサ、湿度センサを設け、表示装置２５に温度、湿度を表示するように構成することができる。この場合、温度、湿度は、表示装置２５の表示領域２０Ａの一部に、時計表示等とともに表示することができる。
【００２２】
次に、体重体組成計１００の動作フローを図４及び図５に基づいて説明する。先ず、体重測定モードについて説明する。表示器２０の表示領域２０Ａが時計表示の状態で、使用者が決定ボタン２０Ｅを押すと、体重測定モードに設定される。時計表示の一例については図５（ａ）に示してある。
【００２３】
その後、使用者が計量台１１に乗ると、体重測定が開始される。すると、表示領域２０Ａには例えば図５（ｂ）に示すような体重表示が行われる。そして、体重測定結果が確定すると、使用者が計量台１１から降りるタイミングを知らせる報知情報、例えば「おりてください」という報知情報表示３０が、体重表示領域と隣接した領域に表示される。そして、所定時間が経過すると、表示領域２０Ａは図５（ａ）に示すような時計表示に切り換わる。この場合、使用者が計量台１１から降りずにそのまま乗っていても、所定時間が経過すると、時計表示に切り換わるようになっている。
【００２４】
また、体重測定中にその旨を知らせる報知情報、例えば「ただいま測定中」という表示を行い、体重測定結果が確定すると、「おりてください」という表示に切り換えるように構成してもよい。
【００２５】
次に、体組成測定モードについて説明する。先ず、体重測定と同様に、表示器２０の表示領域２０Ａが時計表示の状態で使用者が決定ボタン２０Ｅを押し、さらにダウンボタン２０Ｃ、アップボタン２０Ｄを操作して個人番号を選択し、決定ボタン２０Ｅを押すと、体組成測定モードに設定される。
【００２６】
その後、使用者が計量台１１に乗ると、体重測定及びインピーダンス測定が開始される。すると、先ず、表示領域２０Ａには図５（ｂ）に示すような体重表示が行われる。続いて、図５（ｃ）に示すような体脂肪率表示、図５（ｄ）に示すようなＢＭＩ表示が時系列的に行われる。なお、図５（ｂ）〜（ｄ）については表示領域２０Ａのみを図示している。
【００２７】
そして、体重測定モードと同様に、体重測定結果が確定すると、使用者が計量台１１から降りるタイミングを知らせる報知情報、例えば「おりてください」という報知情報表示３０が、体重表示領域と隣接した領域に表示される。そして、所定時間が経過すると、表示領域２０Ａは図５（ａ）に示すような時計表示に切り換わる。この場合、使用者が計量台１１から降りずにそのまま乗っていても、所定時間が経過すると、時計表示に切り換わるようになっている。
【００２８】
このように、体重体組成計１００は本体１０と表示器２０とに分離され、かつ計量台１１から降りるタイミングを知らせる報知情報を表示器２０に表示するので、該報知情報は利用者にとって視認し易く、さらに利用者の利便性を向上させることができる。また、表示器２０の表示を時計表示に切り換えることにより、体重体組成計１００を使用しないときは時計として利用することができる。
【符号の説明】
【００２９】
１０  本体
１１  計量台
１２  体重測定部
１３  インピーダンス測定部
１４  送信機
２０  表示器
２０Ａ  表示領域
２１  受信機
２２  メモリ部
２３  演算部
２４  データ入力部
２５  表示装置
２６  駆動回路
２７  制御部
２８  モード設定部
【図１】
0003225523.tif 000003
【図２】
0003225523.tif 000004
【図３】
0003225523.tif 000005
【図４】
0003225523.tif 000006
【図５】
0003225523.tif 000007